(57)【要約】【課題】対象物に貼付するラベルの見栄えが悪くならないように、ラベルに関する情報を表示する情報表示制御装置及び情報表示プログラムを提供する。【解決手段】プリンタは、携帯端末に入力された印刷情報に基づいてラベルを作成する。ユーザは、作成されたラベルを物品に貼付し、携帯端末のカメラを用いて貼付されたラベルを撮像する。その後ユーザは、撮像された画像を画像処理する。携帯端末のフラッシュメモリには、ラベルの印刷情報と、画像処理された画像情報、撮像位置を示す位置情報が記憶される。そして、このラベルの貼替日時に到達した場合には、携帯端末は、ラベルのプリントイメージ、画像処理された画像、撮像位置をフラッシュメモリに記憶された情報に基づいて表示する（Ｓ１１７、Ｓ１３３）。従って、ユーザは、貼替日時に到達したラベルを、ラベルの見栄えが悪くなる前に容易に把握でき、且つ容易に見つけ出すことができる。【選択図】図８
2014071759.tif 000002
【特許請求の範囲】
【請求項１】
印刷装置が印刷媒体に印刷するプリントイメージの情報である印刷情報を取得する印刷情報取得手段と、
撮像手段によって撮像された、前記印刷媒体が貼付される対象物を含む画像の情報である画像情報を取得する画像取得手段と、
前記撮像手段によって前記画像が撮像された位置の情報である位置情報を取得する位置取得手段と、
前記印刷媒体の貼替時期の情報である貼替時期情報を取得する貼替時期取得手段と、
前記印刷情報取得手段によって取得された前記印刷情報、前記画像取得手段によって取得された前記画像情報、前記位置取得手段によって取得された前記位置情報、及び前記貼替時期取得手段によって取得された前記貼替時期情報を、前記印刷情報ごとに対応付けて第一記憶手段に記憶する記憶制御手段と、
前記第一記憶手段が記憶する前記貼替時期情報を参照し、前記貼替時期に達している印刷情報が含まれるか否かを判断する第一判断手段と、
前記第一判断手段が前記貼替時期に達している前記印刷情報が含まれると判断する場合に、前記印刷情報に基づく前記プリントイメージと、前記印刷情報に対応する前記画像情報に基づく前記画像と、前記印刷情報に対応する前記位置情報に基づく前記位置とを表示手段に表示させる表示制御手段と
を備えたことを特徴とする情報表示制御装置。
【請求項２】
前記貼替時期取得手段は、選択手段によって選択される前記印刷媒体の種類に対応する、前記貼替時期情報を予め記憶する第二記憶手段を参照し、前記設定手段によって設定される前記印刷媒体の種類に応じて、前記第二記憶手段が記憶する前記貼替時期情報を取得することを特徴とする請求項１に記載の情報表示制御装置。
【請求項３】
前記画像情報取得手段が取得する前記画像情報に基づく前記画像に含まれる前記対象物のうち、前記印刷媒体の貼付面に相当する領域に、前記プリントイメージが印刷される前記印刷媒体の画像を配置する画像処理を行う画像処理手段を備え、
前記記憶制御手段は、前記画像処理手段により画像処理された画像の画像情報を前記第一記憶手段に記憶し、
前記表示制御手段は、前記画像処理された画像を前記表示手段に表示させることを特徴とする請求項１又は２に記載の情報表示制御装置。
【請求項４】
前記印刷媒体を前記対象物に貼付した貼付時期の情報である貼付時期情報を取得する貼付時期取得手段と、
前記印刷媒体を貼り替えたか否かを判断する第二判断手段とを備え、
前記貼替時期取得手段は、前記第二判断手段が前記印刷媒体を貼り替えたと判断する場合に、前記第二判断手段が判断した判断時期に、前記貼付時期から前記判断時期までの期間が加算された時期を新たな前記貼替時期として、新たな前記貼替時期情報を取得し、
前記記憶制御手段は、前記貼替時期取得手段が取得した前記新たな貼替時期情報を、前記印刷情報ごとに対応付けて前記第一記憶手段に記憶することを特徴とする請求項１から３の何れかに記載の情報表示制御装置。
【請求項５】
前記表示制御手段は、
前記貼替時期に達する前記印刷情報が複数ある場合に、前記複数の印刷情報の各々に基づくプリントイメージをリスト形式又はサムネイル形式に前記表示手段に表示させ、
リスト形式又はサムネイル形式に表示される前記プリントイメージのうち、特定のプリントイメージが前記選択手段により選択された場合に、前記選択されたプリントイメージと、前記選択されたプリントイメージの印刷情報に対応する画像情報に基づく画像と、前記選択されたプリントイメージの印刷情報に対応する位置情報に基づく位置とを前記表示手段に表示させることを特徴とする請求項１から４の何れかに記載の情報表示制御装置。
【請求項６】
前記撮像手段が前記画像を撮像した撮像方向の情報である撮像方向情報を取得する方向取得手段を備え、
前記記憶制御手段は、前記方向取得手段が取得した前記撮像方向情報を、前記印刷情報ごとに対応付けて前記第一記憶手段にさらに記憶し、
前記表示制御手段は、前記印刷情報に対応する前記撮像方向情報に基づく前記撮像方向を前記表示手段にさらに表示させることを特徴とする請求項１から５の何れかに記載の情報表示制御装置。
【請求項７】
印刷媒体に印刷装置が印刷するプリントイメージの情報である印刷情報を表示する情報表示制御装置によって実行される情報表示プログラムであって、
前記情報表示制御装置のコントローラに、
前記印刷情報を取得する印刷情報取得ステップと、
撮像手段によって撮像された、前記印刷媒体が貼付される対象物を含む画像の情報である画像情報を取得する画像取得ステップと、
前記撮像ステップによって前記画像が撮像された位置の情報である位置情報を取得する位置取得ステップと、
前記印刷媒体の貼替時期の情報である貼替時期情報を取得する貼替時期取得ステップと、
前記印刷情報取得ステップによって取得された前記印刷情報、前記画像取得ステップによって取得された前記画像情報、前記位置取得ステップによって取得された前記位置情報、及び前記貼替時期取得ステップによって取得された前記貼替時期情報を、前記印刷情報ごとに対応付けて記憶手段に記憶する記憶制御ステップと、
前記記憶手段が記憶する前記貼替時期情報を参照し、前記貼替時期に達している印刷情報が含まれるか否かを判断する判断ステップと、
前記判断ステップが前記貼替時期に達している前記印刷情報が含まれると判断する場合に、前記印刷情報に基づくプリントイメージと、前記印刷情報に対応する前記画像情報に基づく前記画像と、前記印刷情報に対応する前記位置情報に基づく前記位置とを表示手段に表示させる表示制御ステップと
を実行させることを特徴とする情報表示プログラム。
【発明の詳細な説明】
【技術分野】
【０００１】
本発明は、印刷装置が印刷するラベルに関する情報を表示する情報表示制御装置及び情報表示プログラムに関する。
【背景技術】
【０００２】
従来の印刷装置が作成するラベルは、表面には印刷装置による印刷が可能な印刷部を備え、裏面には粘着剤が塗布された貼付部を備える（例えば、特許文献１参照）。特許文献１に開示のラベルは、裏面の貼付部が第一の台紙片、第二の台紙片、第三の台紙片によって覆われる。第一の台紙片は貼付部の上側部及び下側部のみを覆う。第二の台紙片は、第一の台紙片が覆わない貼付部の上側部、下側部、及び左側部のみを覆う。第三の台紙片は残る貼付部のみを覆う。
【０００３】
ユーザは、最初に第一の台紙片を剥し、貼付部の一部を露出させ対象物にラベルを貼付する。時間が経過しラベルの粘着力が低下した場合、第二の台紙片を剥し新たな貼付部を露出させ対象物にラベルを貼付し直す。再びラベルの粘着力が低下した場合、第三の台紙片を剥し、新たな貼付部をさらに露出させ対象物にラベルを貼付し直す。これにより、ユーザは、長期間に亘って対象物にラベルを貼付できる。
【先行技術文献】
【特許文献】
【０００４】
【特許文献１】特開２００１−２５５８２５号公報
【発明の概要】
【発明が解決しようとする課題】
【０００５】
しかしながら、特許文献１記載のラベルでは、粘着力が低下して対象物から剥がれはじめても、ユーザがその事に気付かない場合がある。また、ユーザが、過去に対象物に貼付したラベルを思い出して貼付し直そうとしても、ラベルを貼付した対象物がある場所を忘れてしまい、すぐに見つけることができない場合がある。それ故、剥がれかけのラベルが見栄えの悪い状態で対象物に貼付されたままとなる場合がある。
【０００６】
本発明の目的は、対象物に貼付するラベルの見栄えが悪くならないように、ラベルに関する情報を表示する情報表示制御装置及び情報表示プログラムを提供することである。
【課題を解決するための手段】
【０００７】
本発明の第一態様に係る情報表示制御装置は、印刷装置が印刷媒体に印刷するプリントイメージの情報である印刷情報を取得する印刷情報取得手段と、撮像手段によって撮像された、前記印刷媒体が貼付される対象物を含む画像の情報である画像情報を取得する画像取得手段と、前記撮像手段によって前記画像が撮像された位置の情報である位置情報を取得する位置取得手段と、前記印刷媒体の貼替時期の情報である貼替時期情報を取得する貼替時期取得手段と、前記印刷情報取得手段によって取得された前記印刷情報、前記画像取得手段によって取得された前記画像情報、前記位置取得手段によって取得された前記位置情報、及び前記貼替時期取得手段によって取得された前記貼替時期情報を、前記印刷情報ごとに対応付けて第一記憶手段に記憶する記憶制御手段と、前記第一記憶手段が記憶する前記貼替時期情報を参照し、前記貼替時期に達している印刷情報が含まれるか否かを判断する第一判断手段と、前記第一判断手段が前記貼替時期に達している前記印刷情報が含まれると判断する場合に、前記印刷情報に基づく前記プリントイメージと、前記印刷情報に対応する前記画像情報に基づく前記画像と、前記印刷情報に対応する前記位置情報に基づく前記位置とを表示手段に表示させる表示制御手段とを備えている。
【０００８】
本発明の情報表示制御装置によれば、第一記憶手段が記憶している情報に、貼替時期に達している印刷情報が含まれると第一判断手段が判断する場合、表示制御手段は、印刷情報に基づくプリントイメージに加えて、その印刷情報に対応する画像情報に基づく画像、及び位置情報に基づく位置を表示手段に表示させる。従って、ユーザは、貼替時期にある印刷媒体を、印刷媒体の見栄えが悪くなる前に容易に把握できる。また、情報表示制御装置は位置情報に基づく位置を表示するので、ユーザはその印刷媒体を容易に探し出すことができる。
【０００９】
また、前記情報表示制御装置において、前記貼替時期取得手段は、選択手段によって選択される前記印刷媒体の種類に対応する、前記貼替時期情報を予め記憶する第二記憶手段を参照し、前記設定手段によって設定される前記印刷媒体の種類に応じて、前記第二記憶手段が記憶する前記貼替時期情報を取得してもよい。情報表示装置は、印刷媒体の種類に応じた貼替時期情報を取得する。それ故、ユーザは印刷媒体の種類に応じた適切な貼替時期まで、印刷媒体を対象物に貼付できる。
【００１０】
また、前記情報表示制御装置は、前記画像情報取得手段が取得する前記画像情報に基づく前記画像に含まれる前記対象物のうち、前記印刷媒体の貼付面に相当する領域に、前記プリントイメージが印刷される前記印刷媒体の画像を配置する画像処理を行う画像処理手段を備え、前記記憶制御手段は、前記画像処理手段により画像処理された画像の画像情報を前記第一記憶手段に記憶し、前記表示制御手段は、前記画像処理された画像を前記表示手段に表示させてもよい。情報表示装置が表示手段に表示させる画像には、プリントイメージが印刷された印刷媒体の画像が対象物の貼付面に配置されている。それ故、情報表示装置が表示する画像に複数の被写体が含まれる場合であっても、ユーザは、印刷媒体を貼付する対象物を容易に特定できる。
【００１１】
また、前記情報表示制御装置は、前記印刷媒体を前記対象物に貼付した貼付時期の情報である貼付時期情報を取得する貼付時期取得手段と、前記印刷媒体を貼り替えたか否かを判断する第二判断手段とを備え、前記貼替時期取得手段は、前記第二判断手段が前記印刷媒体を貼り替えたと判断する場合に、前記第二判断手段が判断した判断時期に、前記貼付時期から前記判断時期までの期間が加算された時期を新たな前記貼替時期として、新たな前記貼替時期情報を取得し、前記記憶制御手段は、前記貼替時期取得手段が取得した前記新たな貼替時期情報を、前記印刷情報ごとに対応付けて前記第一記憶手段に記憶してもよい。使用態様によって印刷媒体の貼替時期が変動する場合であっても、一度貼替えられた印刷媒体については、使用態様に基づいた新たな貼替時期が取得される。それ故、ユーザは個々のラベルを、各ラベルの適切な時期まで対象物に貼付できる。
【００１２】
また、前記情報表示制御装置において、前記表示制御手段は、前記貼替時期に達する前記印刷情報が複数ある場合に、前記複数の印刷情報の各々に基づくプリントイメージをリスト形式又はサムネイル形式に前記表示手段に表示させ、リスト形式又はサムネイル形式に表示される前記プリントイメージのうち、特定のプリントイメージが前記選択手段により選択された場合に、前記選択されたプリントイメージと、前記選択されたプリントイメージの印刷情報に対応する画像情報に基づく画像と、前記選択されたプリントイメージの印刷情報に対応する位置情報に基づく位置とを前記表示手段に表示させてもよい。情報表示装置は、貼替時期に達する印刷情報が複数ある場合に、複数の印刷情報の各々に対応するプリントイメージを、リスト形式又はサムネイル形式に表示手段に表示させる。また、情報表示装置は、選択手段により特定のプリントイメージが選択されれば、選択されたプリントイメージと、選択したプリントイメージの印刷情報と対応する、画像及び位置を表示手段に表示させる。それ故、貼替時期に達している印刷媒体が複数ある場合であっても、ユーザはそれらの印刷媒体を容易に把握できる。
【００１３】
また、前記情報表示制御装置は、前記撮像手段が前記画像を撮像した撮像方向の情報である撮像方向情報を取得する方向取得手段を備え、前記記憶制御手段は、前記方向取得手段が取得した前記撮像方向情報を、前記印刷情報ごとに対応付けて前記第一記憶手段にさらに記憶し、前記表示制御手段は、前記印刷情報に対応する前記撮像方向情報に基づく前記撮像方向を前記表示手段にさらに表示させてもよい。情報表示装置は位置情報に基づく位置に加えて、撮像方向情報に基づく撮像方向も表示手段に表示させる。それ故、ユーザは、位置及び撮像方向を基に、対象物に貼付された印刷媒体をより容易に探し出すことができる。
【００１４】
また、本発明の第二態様に係る情報表示プログラムは、印刷媒体に印刷装置が印刷するプリントイメージの情報である印刷情報を表示する情報表示制御装置によって実行される情報表示プログラムであって、前記情報表示制御装置のコントローラに、前記印刷情報を取得する印刷情報取得ステップと、撮像手段によって撮像された、前記印刷媒体が貼付される対象物を含む画像の情報である画像情報を取得する画像取得ステップと、前記撮像ステップによって前記画像が撮像された位置の情報である位置情報を取得する位置取得ステップと、前記印刷媒体の貼替時期の情報である貼替時期情報を取得する貼替時期取得ステップと、前記印刷情報取得ステップによって取得された前記印刷情報、前記画像取得ステップによって取得された前記画像情報、前記位置取得ステップによって取得された前記位置情報、及び前記貼替時期取得ステップによって取得された前記貼替時期情報を、前記印刷情報ごとに対応付けて記憶手段に記憶する記憶制御ステップと、前記記憶手段が記憶する前記貼替時期情報を参照し、前記貼替時期に達している印刷情報が含まれるか否かを判断する判断ステップと、前記判断ステップが前記貼替時期に達している前記印刷情報が含まれると判断する場合に、前記印刷情報に基づくプリントイメージと、前記印刷情報に対応する前記画像情報に基づく前記画像と、前記印刷情報に対応する前記位置情報に基づく前記位置とを表示手段に表示させる表示制御ステップとを実行させる。
【００１５】
ユーザは、貼替時期にある印刷媒体を、印刷媒体の見栄えが悪くなる前に容易に把握できる。また、情報表示制御装置は位置情報に基づく位置を表示するので、ユーザはその印刷媒体を容易に探し出すことができる。
【図面の簡単な説明】
【００１６】
【図１】情報表示制御システム１の全体構成図及び物品６に貼付されるラベル５を示す図である。
【図２】携帯端末２及びプリンタ３の電気的構成を示すブロック図である。
【図３】貼替期間データテーブル４５を示す図である。
【図４】携帯端末２の入力処理のフローチャートである。
【図５】携帯端末２の画像処理のサブルーチンのフローチャートである。
【図６】ラベルデータテーブル５０を示す図である。
【図７】携帯端末２の貼替日時報知処理のフローチャートである。
【図８】携帯端末２の表示処理のサブルーチンのフローチャートである。
【図９】貼替日時に到達したプリントイメージの画像が表示部２０に表示される図である。
【図１０】貼替日時に到達したプリントイメージ及びそれに関連情報の画像が表示部２０に表示される図である。
【図１１】撮像位置及び撮像方向の画像が表示部２０に表示される図である。
【図１２】携帯端末２の新たな貼替日時更新処理のフローチャートである。
【図１３】貼付日時情報、貼替日時情報及び貼替期間情報を更新したラベルデータテーブル５０である。
【発明を実施するための形態】
【００１７】
以下、本発明の実施形態について図面を参照し説明する。まず、図１を参照し、情報表示制御システム１について説明する。情報表示制御システム１は携帯端末２とプリンタ３から構成される。携帯端末２は無線通信によって印刷装置であるプリンタ３と通信を行うことができる。プリンタ３は、印刷媒体である長尺状のテープにプリントイメージ（文字、記号、図形など）を印刷して、貼付可能なラベル５を作成する小型のラベルプリンタである。作成されたラベル５は、物品６に貼付できる。
【００１８】
図２を参照し、携帯端末２及びプリンタ３の電気的構成について説明する。携帯端末２は、携帯端末２の制御を行うＣＰＵ１６を備える。ＣＰＵ１６は、ＲＯＭ１７、ＲＡＭ１８、フラッシュメモリ１９、音声回路８、Ａ／Ｄコンバータ１０、表示部２０、タッチパネル２１、カメラ２２、ＧＰＳ受信部２３、電子コンパス２４、タイマ２５、及び通信部２６に電気的に接続されている。ＲＯＭ１７には、ブートプログラムやＢＩＯＳ、ＣＰＵ１６が実行するプログラム、及び地図の情報である地図情報が記憶される。ＲＡＭ１８には、プログラムで処理される各種の情報が一時的に記憶される。フラッシュメモリ１９には、プリントイメージの情報である印刷情報、後述するカメラ２２が撮像する画像の情報である画像情報などが記憶される。音声回路８はスピーカ７に接続する。スピーカ７は、携帯端末２の使用時に、通話相手が発する音声を出力する。Ａ／Ｄコンバータ１０は、マイク９に接続する。マイク９は、携帯端末２の使用時において、ユーザの声等のアナログ音声を取得する。Ａ／Ｄコンバータは、マイク９が取得したアナログ音声をデジタル変換する。
【００１９】
表示部２０は、携帯端末２の前面に設けられる液晶ディスプレイである（図１０参照）。表示部２０には、例えば、携帯端末２に各種情報を入力させる為のキーや、ラベル５（図１参照）に関する各種情報が表示される。タッチパネル２１は表示部２０の表面に配置される。このため、表示部２０の表面に表示される各種キーなどに対応するタッチパネル２１を、ユーザは指で押圧操作できる。これにより、ユーザは種々のプリントイメージなどの各種情報の入力及び各種指示の入力などができる（以下、この操作を「パネル操作」という。カメラ２２は、被写体の撮像が可能なＣＣＤカメラである。ＧＰＳ受信部２３は、ＧＰＳ衛星からの信号を受信し、携帯端末２の位置を示す緯度と経度を検出できる。電子コンパス２４は、地磁気センサを備えており、カメラ２２が向く撮像方向を特定できる。タイマ２５は、現在日時を計時する。通信部２６は、印刷情報を無線通信によって、プリンタ３に送信できる。
【００２０】
図３に示すように、ＲＯＭ１７には、貼替期間データテーブル４５が記憶される。貼替期間データテーブル４５は、後述する入力処理（図４参照）でＣＰＵ１６が参照するデータテーブルである。貼替期間データテーブル４５には、ラベル５（図１参照）の種類と貼付期間の情報である貼付期間情報が対応付けて記憶されている。貼替期間データテーブル４５では、ラベル５がラミネートタイプである場合には貼替期間情報は２４ヶ月と記憶され、ノンラミネートタイプである場合には１２ヶ月と記憶されている。
【００２１】
図２に示すように、プリンタ３は、プリンタ３の制御を行うＣＰＵ３１を備える。ＣＰＵ３１は、ＲＯＭ３２、フラッシュメモリ３３、ＲＡＭ３４、ＣＧＲＯＭ３５、入力部３６、表示部３７、駆動回路３８〜４０、及び通信部４１に電気的に接続されている。
【００２２】
ＲＯＭ３２には、ＣＰＵ３１が実行する各種プログラムが記憶される。フラッシュメモリ３３には、携帯端末２から送信されるプリントイメージの印刷情報等が記憶される。ＲＡＭ３４には種々の一時データが記憶される。ＣＧＲＯＭ３５には、種々のプリントイメージをラベルに印刷するための印刷用のドットパターンデータが記憶されている。通信部４１は携帯端末２の通信部２６が送信する印刷情報を受信できる。
【００２３】
入力部３６はユーザによる指示を受け付ける。表示部３７は、ラベル５に印刷するプリントイメージ等を表示する。駆動回路３８は、テープに印刷を行うサーマルヘッド４２を駆動する。駆動回路３９は、テープを搬送するプラテンローラ（図示外）を動作させるテープ送りモータ４３を駆動する。駆動回路４０は、印刷済みのテープを切断するカッター（図示外）を動作させるカッターモータ４４を駆動する。ＣＰＵ３１は、これらの駆動回路３８〜４０を制御することで、搬送されるテープに印刷を行ったのち、印刷済みのテープを切断してラベル５（図１参照）を作成する。
【００２４】
図３〜図６を参照し、携帯端末２のＣＰＵ１６が行う入力処理の方法について説明する。入力処理は、プリンタ３に印刷動作を実行させるアプリケーションを携帯端末２が起動する場合に、実行される。入力処理が実行されると、図６に示すラベルデータテーブル５０がフラッシュメモリ１９に作成される。ラベルデータテーブル５０においては、印刷情報に対応して、画像情報、画像処理された画像情報、位置情報、撮像方向情報、貼付日時情報、貼替日時情報、及び貼替期間情報が記憶される（図４のＳ４９）。本実施形態における画像処理とは、カメラ２２が撮像した画像の所定の領域に、ラベル５（図１参照）のイメージ画像を配置する処理である。印刷情報に対応して記憶される上記情報の詳細は後述する。
【００２５】
図４に示すように、携帯端末２の入力処理では、はじめにＣＰＵ１６が、ユーザによるパネル操作によってプリントイメージが入力されたか否かを判断する。（Ｓ１１）。ＣＰＵ１６が、プリントイメージが入力されたと判断した場合（Ｓ１１：ＹＥＳ）、ユーザによる入力操作に応じたプリントイメージはＲＡＭ１８に記憶される（Ｓ１３）。次いでＣＰＵ１６は、入力されたプリントイメージを表示部２０に表示し（Ｓ１５）、処理はＳ１１に戻る。ＣＰＵ１６がプリントイメージが入力されてないと判断した場合（Ｓ１１：ＮＯ）、ＣＰＵ１６はプリントイメージの入力を終了するパネル操作がされたか否かを判断する（Ｓ１７）。
【００２６】
ＣＰＵ１６が、プリントイメージの入力を終了するパネル操作がされてないと判断した場合（Ｓ１７：ＮＯ）、処理はＳ１１に戻る。ＣＰＵ１６が入力を終了するパネル操作がされたと判断した場合（Ｓ１７：ＹＥＳ）、入力されたプリントイメージの印刷情報が作成され、印刷情報が取得される（Ｓ１９）。ＣＰＵ１６は、通信部２６を制御することで、取得された印刷情報をプリンタ３のＣＰＵ３１に送信する（Ｓ２１）。例えば、ユーザによって、プリントイメージ「Ｓａｌｔ」が入力され、入力を終了するパネル操作がなされると（Ｓ１７：ＹＥＳ）、ラベル５（図１参照）を印刷するための印刷情報が取得される（Ｓ１９）。
【００２７】
プリンタ３のＣＰＵ３１はＳ２１で送信された印刷情報を受信する。ＣＰＵ３１は、受信した印刷情報に基づくプリントイメージをテープに印刷する。これにより、プリントイメージが印刷されたラベル５（図１参照）が作成され、プリンタ３は印刷を終了する。
【００２８】
Ｓ２１で印刷情報が送信された後、ＣＰＵ１６は、カメラ２２を用いて撮像を開始する撮像開始のパネル操作がされたか否かを判断する（Ｓ２３）。ＣＰＵ１６が撮像開始のパネル操作がされてないと判断した場合（Ｓ２３：ＮＯ）、処理はＳ２３に戻る。
【００２９】
ＣＰＵ１６が撮像開始のパネル操作がされたと判断した場合（Ｓ２３：ＹＥＳ）、カメラ２２が起動される（Ｓ２５）。これにより、ユーザは携帯端末２を用いて、ラベル５が貼付される物品６が含まれる画像を撮像する。このとき物品６には、Ｓ２１で送信された印刷情報に基づいて作成されたラベル５が貼付されていても、そうでなくてもよい。例えば、図６に示すように、ラベル５が貼付されていない物品６を含む画像５０９がカメラによって撮像される。次いで、ＣＰＵ１６はカメラ２２を用いた撮像を終了するパネル操作がされたか否かを判断する（Ｓ２７）。ＣＰＵ１６が撮像終了のパネル操作がされてないと判断した場合（Ｓ２７：ＮＯ）。処理はＳ２７に戻る。
【００３０】
ＣＰＵ１６が撮像終了のパネル操作がされたと判断した場合（Ｓ２７：ＹＥＳ）、撮像した画像の画像情報が取得される（Ｓ２９）。これによって例えば、画像５０９（図６参照）の画像情報が取得される。次いで、ＣＰＵ１６はカメラ２２によって画像が撮像された位置の情報である位置情報を取得する（Ｓ３１）。位置情報の取得は、ＣＰＵ１６がＧＰＳ受信部２３を制御して、携帯端末２の位置を特定することで行われる。例えば、携帯端末２の位置の経度が「ａａａ」であり、緯度が「ｂｂｂ」である場合、位置情報として（ａａａ，ｂｂｂ）が取得される（Ｓ３１）。
【００３１】
次いで、ＣＰＵ１６はカメラ２２が画像を撮像した撮像方向の情報である撮像方向情報を取得する（Ｓ３３）。撮像方向情報は、ＣＰＵ１６が電子コンパス２４を制御して、撮像時にカメラ２２の向いていた方向を特定することで取得される。例えば、カメラ２２が画像を撮像した撮像方向が「北東」である場合、撮像方向情報として「北東」が取得される（Ｓ３３）。
【００３２】
次いでＣＰＵ１６はタイマ２５の出力によって現在日時を特定する。この日時を、ラベル５が物品６に貼付された日時とみなして、ＣＰＵ１６は貼付日時の情報である貼付日時情報を取得する（Ｓ３５）。例えば、現在日時が２０１１年９月２８日である場合、貼付日時情報として「２０１１／９／２８」が取得される（Ｓ３５）。
【００３３】
次に、ＣＰＵ１６はラベル５の種類が、ラミネートタイプかノンラミネートタイプかを選択するパネル操作がされたか否かを判断する（Ｓ３７）。ＣＰＵ１６がラベル５の種類を選択するパネル操作がされてないと判断した場合（Ｓ３７：ＮＯ）、処理はＳ３７に戻る。ＣＰＵ１６がラベル５の種類を選択するパネル操作がされたと判断した場合（Ｓ３７：ＹＥＳ）、ＲＯＭ１７で記憶された貼替期間データテーブル４５が参照され、選択されたラベル５の種類に対応する貼替期間情報が取得される（Ｓ３９）。ＣＰＵ１６は、この貼替期間情報に基づく貼替期間をＳ３５で取得された貼付日時情報に基づく貼付日時に加算することで、ラベル５の貼替日時を特定し、貼替日時の情報である貼替日時情報が取得される（Ｓ４１）。例えば、ユーザがラベル５の種類をノンラミネートタイプと選択した場合（Ｓ３７：ＹＥＳ）、取得される貼替期間情報は「１２ヶ月」（図３参照）となる（Ｓ３９）。そして、Ｓ３５で取得された貼付日時情報が「２０１１／９／２８」である場合、ノンラミネートタイプのラベル５の貼替日時情報は、「２０１２／９／２８」となる（Ｓ４１）。尚、ＣＰＵ１６は、Ｓ２９〜Ｓ４１で取得された画像情報、位置情報、撮像方向情報、貼付日時情報、貼替期間情報、及び貼替日時情報を、ＲＡＭ１８に記憶する。
【００３４】
次いで、ＣＰＵ１６は、カメラ２２により撮像された画像を処理する画像処理を開始するかの指示がパネル操作によってされたか否かを判断する（Ｓ４３）。ＣＰＵ１６が開始をするかの指示がパネル操作されてないと判断した場合（Ｓ４３：ＮＯ）、処理はＳ４３に戻る。ＣＰＵ１６が開始をするかの指示がパネル操作されたと判断した場合（Ｓ４３：ＹＥＳ）、ＣＰＵ１６はＳ４３でパネル操作された指示が画像処理を開始する指示だったか否かを判断する（Ｓ４５）。ＣＰＵ１６がＳ４３でパネル操作された指示が画像処理を開始しない指示だったと判断した場合（Ｓ４５：ＮＯ）、処理は後述するＳ４９に進む。
【００３５】
ＣＰＵ１６がＳ４３でパネル操作された指示が画像処理を開始する指示だったと判断した場合（Ｓ４５：ＹＥＳ）、画像処理が実行される（Ｓ４７）。図５を参照し、画像処理のサブルーチンについて説明する。画像処理においては、カメラ２２が撮像した画像中の物品６の貼付面に相当する領域に、プリントイメージが印刷されるラベル５のイメージ画像が配置される。
【００３６】
画像処理では、まずＣＰＵ１６がＳ１９で取得した印刷情報のプリントイメージを特定し、特定したプリントシメージに所定の枠が付される。これにより、ラベル５のイメージ画像が作成され、ＣＰＵ１６はイメージ画像の情報であるイメージ画像情報を取得する（Ｓ５１）。次いでＣＰＵ１６は、Ｓ２９で取得した画像情報に基づく画像をＲＡＭ１８から取得する（Ｓ５３）。次いでＣＰＵ１６は、イメージ画像情報に基づくイメージ画像及び、画像情報に基づく撮像画像を表示部２０に表示する（Ｓ５５）。例えば、表示部２０には、「Ｓａｌｔ」のプリントイメージ５１０（図９参照）及び、画像５０９（図６参照）が表示される。
【００３７】
次いで、ＣＰＵ１６は、表示部２０に表示される撮像画像の物品６の貼付領域を、パネル操作によって特定する貼付領域の特定がされたか否かを判断する（Ｓ５７）。ＣＰＵ１６が貼付領域の特定がされてないと判断した場合（Ｓ５７：ＮＯ）、処理はＳ５７に戻る。ＣＰＵ１６が貼付領域の特定がされたと判断した場合（Ｓ５７：ＹＥＳ）、貼付領域にラベル５のイメージ画像が配置される。これによりＣＰＵ１６は、Ｓ２９で取得した画像情報に基づく画像を画像処理し、画像処理された画像情報が取得される（Ｓ５９）。次いで、ＣＰＵ１６は画像処理を終了し、処理は入力処理（図４参照）に戻る。例えば、画像５０９中の物品６の貼付領域がパネル操作により特定されると（Ｓ５７：ＹＥＳ）、図６に示すように、ラベル５のイメージ画像５５５が配置される物品６を含む画像５９０が取得される（Ｓ５９）。
【００３８】
次いで、ＣＰＵ１６は、Ｓ１９で取得た印刷情報に対応付けて、画像情報、画像処理された画像の情報である画像情報、位置情報、撮像方向情報、貼付日時情報、貼替日時情報、及び貼替期間情報をフラッシュメモリ１９に記憶し（Ｓ４９）、入力処理は終了する。フラッシュメモリ１９に記憶される情報は、図６に示すように、印刷情報と対応付けてラベルデータテーブル５０に記憶される。例えば、プリントイメージが「Ｓａｌｔ」であるラベル５に関する情報が記憶される場合、印刷情報には「Ｓａｌｔ」が記憶される。そして、画像情報には、Ｓ２９で取得された画像５０９の画像情報が記憶される。画像処理された画像情報には、Ｓ５９で取得された画像処理された画像５９０の画像情報が記憶される。位置情報には、Ｓ３１で取得された位置情報の緯度及び経度が１組となって記憶される。撮像方向情報にはＳ３３で取得された撮像方向情報が記憶される。さらに、貼付日時情報にはＳ３５で取得された貼付日時情報（例えば、２０１１／９／２８）が記憶され、貼替日時情報にはＳ４１で取得された貼替日時情報（例えば、２０１２／９／２８）が記憶され、貼替期間にはＳ３９で取得された貼替期間（例えば、１２ヶ月）が記憶される。尚、ユーザが画像処理を開始するパネル操作をしなかった場合（Ｓ４５：ＮＯ）、画像処理された画像情報は記憶されない。
【００３９】
次に、図７を参照し、携帯端末２のＣＰＵ１６が実行する貼替日時報知処理の方法について説明する。貼替日時報知処理は、携帯端末２の起動時に、所定時間ごとに行われる処理である。貼替日時報知処理は、入力処理で設定された貼替日時情報に基づく貼替日時が本処理を行う日時に到達した場合に、ユーザに報知する処理である。以下の説明では、貼替日時報知処理を行う日が２０１２年９月２８日であるとする。また、以下の処理ではラベルデータテーブル５０の印刷情報（図６参照）に記憶される「Ｓａｌｔ」に関する情報を適宜例にとりながら説明する。
【００４０】
貼替日時報知処理では、はじめにＣＰＵ１６が、Ｓ４９で記憶したラベルデータテーブル５０の印刷情報を参照し、印刷情報を一つ取得する（Ｓ７１）。ここでは、ＣＰＵ１６はラベルデータテーブル５０の先頭にある印刷情報を取得する。例えば、ラベルデータテーブル５０の印刷情報のうち「Ｓａｌｔ」が取得される。次いで、ＣＰＵ１６は、Ｓ７１で取得した印刷情報に対応付けてラベルデータテーブル５０に記憶する貼替日時情報を参照し、貼替日時情報に基づく貼替日時を取得する（Ｓ７３）。例えば、ラベルデータテーブル５０において、「Ｓａｌｔ」に対応する貼替日時情報に基づく貼替日時である「２０１２／９／２８」が取得される。
【００４１】
次いで、ＣＰＵ１６は、タイマ２５の出力により特定した現在の日時を取得する（Ｓ７５）。ＣＰＵ１６は貼替日時と現在日時とを比較することで、現時点で貼替日時が到達しているか否かを判断する（Ｓ７７）。ＣＰＵ１６が貼替日時は到達していないと判断した場合（Ｓ７７：ＮＯ）、処理は後述するＳ８１に進む。ＣＰＵ１６が、貼替日時は到達していると判断した場合（Ｓ７７：ＹＥＳ）、Ｓ７１で取得された印刷情報は、ＲＡＭ１８に記憶される（Ｓ７９）。例えば、現在日時「２０１２／９／２８」が取得された場合（Ｓ７５）、印刷情報「Ｓａｌｔ」の貼替日時「２０１２／９／２８」は現在日時に到達しているので（Ｓ７７：ＹＥＳ）、ＲＡＭ１８には「Ｓａｌｔ」の印刷情報が記憶される（Ｓ７９）。
【００４２】
次いで、ＣＰＵ１６は、ラベルデータテーブル５０に他の印刷情報が記憶されているか否かを判断する（Ｓ８１）。ＣＰＵ１６が他の印刷情報があると判断した場合（Ｓ８１：ＹＥＳ）、処理はＳ７１に戻る。例えば、ラベルデータテーブル５０に「Ｈａｐｐｙ  Ｎｅｗ  Ｙｅａｒ」の印刷情報が記憶されている場合には、ラベルデータテーブル５０には「Ｓａｌｔ」の他に印刷情報があると判断され（Ｓ８１：ＹＥＳ）、Ｓ７１〜Ｓ８１までの処理が実行される。さらに、ラベルデータテーブル５０に「ＥＸＩＴ」の印刷情報が記憶されている場合には（Ｓ８１：ＹＥＳ）、同様にＳ７１〜Ｓ８１までの処理が更に実行される。ＣＰＵ１６が他の印刷情報がラベルデータテーブル５０に記憶されてないと判断した場合（Ｓ８１：ＮＯ）、表示処理が実行される（Ｓ８３）。
【００４３】
次に、図８〜図１１を参照し、携帯端末２のＣＰＵ１６が実行する表示処理の方法について説明する。図８に示すように、ＣＰＵ１６はＳ７９でＲＡＭ１８に記憶した印刷情報に基づいて、プリントイメージを表示部２０に表示する（Ｓ１１１）。Ｓ７９で記憶された印刷情報が複数ある場合には、ＣＰＵ１６は、各印刷情報に基づくプリントイメージをリスト形式に表示する。例えば、Ｓ７９で記憶される印刷情報が、「Ｓａｌｔ」、「Ｈａｐｐｙ  Ｎｅｗ  Ｙｅａｒ」、「Ｅｘｉｔ」の３つである場合、図９に示すように、これらの印刷情報に基づくプリントイメージ５１０〜５１２が表示部２０にリスト形式に表示される。なお、貼替日時に到達している印刷情報が一つの場合、その印刷情報に基づくプリントイメージのみが表示部２０に表示される。
【００４４】
次いで、ＣＰＵ１６は、特定のプリントイメージを選択するパネル操作がされたか否かを判断する（Ｓ１１３）。ＣＰＵ１６が、特定のプリントイメージを選択するパネル操作がされてないと判断した場合（Ｓ１１３：ＮＯ）、処理はＳ１１３に戻る。ＣＰＵ１６が特定のプリントイメージを選択するパネル操作がされたと判断した場合（Ｓ１１３：ＹＥＳ）、ラベルデータテーブル５０（図６参照）が参照され、プリントイメージの印刷情報に対応付けてＳ４９で記憶した画像情報、位置情報、撮像方向情報、及び貼替日時情報が取得され（Ｓ１１５）。尚、ラベルデータテーブル５０に画像処理された画像５９０（図６参照）の画像情報がある場合、ＣＰＵ１６は当該画像処理された画像情報を取得する。ラベルデータテーブル５０に画像情報の画像５０９（図６参照）しかない場合、ＣＰＵ１６は当該画像情報に基づく画像を取得する。例えば、図９に示すプリントイメージ５１０〜５１２のうち、印刷情報「Ｓａｌｔ」に基づくプリントイメージ５１０が選択された場合、ラベルデータテーブル５０において、「Ｓａｌｔ」の印刷情報に対応付けて記憶された位置情報「（ａａａ,ｂｂｂ）」、画像処理された画像情報（画像５９０）、撮像方向情報「北東」、貼付日時情報「２０１１／９／２８」、貼替日時情報「２０１２／９／２８」が取得される。
【００４５】
次いで、ＣＰＵ１６は、プリントイメージに加えて、画像処理された画像情報に基づく画像、貼付日時情報に基づく貼付日時、及び貼替日時情報に基づく貼替日時を表示部２０に表示する（Ｓ１１７）。例えば、Ｓ１１３で「Ｓａｌｔ」のプリントイメージ５１０（図９参照）が選択された場合、図１０に示すように、プリントイメージ５１０が表示部２０上段に表示される。また、表示部２０の中段には、「Ｓａｌｔ」が印刷されるラベル５（図１参照）のイメージ画像５５５及び物品６を含む画像５２０が表示される。また、表示部２０の下段には、ラベルデータテーブル５０（図６参照）に記憶される情報に基づいて、貼付日の画像５３０、貼替日の画像５４０が表示される。この場合、貼付日は「２０１１／９／２８」となり、貼替日は「２０１２／９／２８」となる。さらに、「前画面に戻る」、「位置・撮像方向」、及び「表示終了」を示すキー５２１〜５２３が、画像５３０及び画像５４０の下側に表示される。
【００４６】
次いで、ＣＰＵ１６は、表示部２０に表示される画面を前画面に戻すためのキー５２１（図１０参照）がパネル操作されたか否かを判断する（Ｓ１１９）。ＣＰＵ１６がキー５２１のパネル操作がされと判断した場合（Ｓ１１９：ＹＥＳ）、処理はＳ１１１に戻り、プリントイメージ５１０〜５１２が再度リスト形式に表示される（図９参照）。ＣＰＵ１６は、キー５２１のパネル操作がされてないと判断した場合（Ｓ１１９：ＮＯ）、表示部２０に撮像位置及び撮像方向を表示させるためのキー５２２（図１０参照）がパネル操作されたか否かを判断する（Ｓ１２１）。
【００４７】
ＣＰＵ１６がキー５２２がパネル操作されてないと判断した場合（Ｓ１２１：ＮＯ）、表示部２０の表示を終了させるためのキー５２３（図１０参照）がパネル操作されたか否かを判断する（Ｓ１２３）。ＣＰＵ１６がキー５２３がパネル操作されてないと判断した場合（Ｓ１２３：ＮＯ）、処理はＳ１１９に戻る。ＣＰＵ１６がキー５２３がパネル操作されたと判断した場合（Ｓ１２３：ＹＥＳ）、表示処理を終了し、処理は貼替日時報知処理に戻る（図７参照）。
【００４８】
ＣＰＵ１６がキー５２２がパネル操作されたと判断した場合（Ｓ１２１：ＹＥＳ）、ＲＯＭ１７が参照され、地図情報が取得される（Ｓ１３１）。次いで、表示部２０の画面は図１０に示す状態から切替わり、Ｓ１１５で取得された位置情報に基づく撮像位置、撮像方向情報に基づく撮像方向が表示される（Ｓ１３３）。この場合、図１１に示すように、地図情報に基づく地図の画像５５０が表示部２０の中段に表示される。ここで画像５５０は、Ｓ１３１で取得された地図情報とＳ１１５で取得された位置情報に基づいて、ＣＰＵ１６が位置情報に基づく撮像位置を中心とした所定範囲の領域を特定することで表示される。さらに画像５５０上に、Ｓ１１５で取得された位置情報及び撮像方向情報に基づいて、撮像位置５６０及び撮像方向５７０が表示される。ここで、撮像方向５７０は、Ｓ１１５で取得された撮像方向情報に基づいて、所定の始線からの角度を特定することで、矢印で表示する。例えば、「Ｓａｌｔ」のプリントイメージ５１０がＳ１１３で選択された場合、撮像方向５７０は北東を向く矢印で表示される。
【００４９】
また、表示部２０の上段には、Ｓ１１７で表示されるプリントイメージ５１０が引き続き表示される。また、表示部２０の下段には、Ｓ１１７で表示される画像５３０及び画像５４０が引き続き表示される。さらに、「前画面に戻る」及び「表示終了」の各キーを示すキー５２１，５２３が、画像５３０，５４０の下側に表示される。
【００５０】
次いで、ＣＰＵ１６は、表示部２０に表示される画面を前画面に戻すためのキー５２１（図１１参照）がパネル操作されたか否かを判断する（Ｓ１３５）。ＣＰＵ１６がキー５２１がパネル操作されたと判断した場合（Ｓ１３５：ＹＥＳ）、処理はＳ１１７に戻り、プリントイメージ５１０、画像５２０等が表示される（図１０参照）。ＣＰＵ１６がキー５２１がパネル操作されてないと判断した場合（Ｓ１３５：ＮＯ）、ＣＰＵ１６は表示部２０の表示を終了させるためのキー５２３（図１１参照）がパネル操作されたか否かを判断する（Ｓ１３７）。ＣＰＵ１６がキー５２３がパネル操作されてないと判断した場合（Ｓ１３７：ＮＯ）、処理はＳ１３３に戻る。ＣＰＵ１６が、キー５２３がパネル操作されたと判断した場合（Ｓ１３７：ＹＥＳ）、表示処理は終了し、処理は貼替日時報知処理に戻る（図７参照）。
【００５１】
このように表示処理が実行されることで、ユーザは、図９〜図１１に示す画像を参照できる。従って、貼替日時に到達したラベル５は、ラベル５のプリントイメージ５１０、画像処理された画像、撮像された位置、撮像方向と共に、ユーザに報知される。故に、ユーザは貼替日時に到達したラベル５を容易に把握できる。
【００５２】
図７に示すように、ＣＰＵ１６は、表示処理が終了した後、ユーザによりなされたパネル操作がＳ７３で取得された貼替日時の更新をするか否かの指示か判断する（Ｓ８５）。ＣＰＵ１６が貼替日時の更新をしない指示がされたと判断した場合（Ｓ８５：ＮＯ）、貼替日時報知処理は終了する。例えば、貼替日時に到達していても、実際に貼付されているラベル５（図１参照）が、見栄えが良好な状態で物品６に貼付されているのであれば、ユーザは新たな貼替日時の更新をせず、処理は終了する。この場合、ラベル５の見栄えが悪くなった時期に応じてラベル５の貼替を行い、後述する新たな貼替日時更新処理（図１２）によって貼替日時情報の更新がなされる。一方、貼替日時に到達したラベル５が、見栄えが良好でなくなりつつあるのであれば、ユーザは貼替日時の更新をパネル操作で指示し（Ｓ８５：ＹＥＳ）、ラベル５の貼替を行う。
【００５３】
ＣＰＵ１６が貼替日時の更新する指示がされたと判断する場合（Ｓ８５：ＹＥＳ）、Ｓ１１１と同様に貼替日時に到達したプリントイメージが表示部２０に表示される（Ｓ８７）。貼替日時に到達したプリントイメージが複数ある場合は、プリントイメージは表示部２０にリスト形式で表示される（図９参照）。次いで、ＣＰＵ１６は貼替日時を更新する特定のプリントイメージを選択するパネル操作がされたか否かを判断する（Ｓ８９）。
【００５４】
ＣＰＵ１６が特定のプリントイメージを選択するパネル操作がされないと判断した場合（Ｓ８９：ＮＯ）、処理はＳ８９に戻る。ＣＰＵ１６が特定のプリントイメージを選択するパネル操作がされたと判断した場合（Ｓ８９：ＹＥＳ）、ＲＡＭ１８が参照され、Ｓ７９で記憶された選択されたプリントイメージの印刷情報が取得される（Ｓ９１）。次いで、ＣＰＵ１６はラベルデータテーブル５０を参照し、Ｓ９１で取得した印刷情報に対応する貼替日時情報を取得する（Ｓ９３）。次いで、ＣＰＵ１６はラベルデータテーブル５０を参照し、Ｓ９１で取得した印刷情報に対応する貼替期間情報を取得する（Ｓ９５）。例えば、Ｓ８９でプリントイメージ「Ｓａｌｔ」が選択された場合、印刷情報「Ｓａｌｔ」が取得され（Ｓ９１）、印刷情報「Ｓａｌｔ」に対応してラベルデータテーブル５０（図６参照）に記憶されている貼替日時情報「２０１２／９／２８」が取得される（Ｓ９３）。次いで、貼替期間情報「１２ヶ月」が取得される（Ｓ９５）。
【００５５】
次いで、ＣＰＵ１６は、Ｓ９３で取得した貼替日時情報に基づく貼替日時に、Ｓ９５で取得した貼替期間情報に基づく貼替期間を加算することで、貼替日時を更新する（Ｓ９７）。例えば、貼替日時「２０１２／９／２８」に、貼替期間「１２ヶ月」を加算することで、貼替日時は「２０１３／９／２８」に更新される（Ｓ９７）。ＣＰＵ１６は更新された貼替日時情報に基づく貼替日時情報を、印刷情報と対応付けてラベルデータテーブル５０に記憶する（Ｓ９９）。
【００５６】
次いで、ＣＰＵ１６は、Ｓ８７で表示されていたプリントイメージに基づく印刷情報が他にもあるか否かを判断する（Ｓ１０１）。ＣＰＵ１６が他の印刷情報が有ると判断した場合（Ｓ１０１：ＹＥＳ）、処理はＳ８５に戻る。ＣＰＵ１６が他の印刷情報がないと判断した場合（Ｓ１０１：ＮＯ）、処理は終了する。
【００５７】
次に図１２を参照し、携帯端末２のＣＰＵ１６が実行する新たな貼替日時更新処理の方法について説明する。物品６に貼付されるラベル５（図１参照）は、実使用において、貼替期間データテーブル４５（図３参照）の貼替期間情報に基づく貼替期間からずれた時期に、見栄えが悪くなりつつなる場合がある。貼替日時情報更新処理は、このような場合、Ｓ４９で記憶される貼替期間情報を、実使用に則した貼替期間情報に更新できる。これにより、ラベル５を一旦貼り替えれば、貼替期間データテーブル４５（図３参照）に記憶される貼替期間情報に代えて、実使用に則した貼替期間情報に基づいて貼替日時報知処理（図７参照）が実行される。なお、以下の処理ではラベルデータテーブル５０の印刷情報（図６参照）に記憶される「Ｓａｌｔ」に関する情報を適宜例にとりながら説明する。ラベルデータテーブル５０は図６に示す状態であるとする。
【００５８】
まず、ＣＰＵ１６は、新たな貼替日時更新処理を開始する指示がパネル操作されたか否かを判断する（１４１）。ＣＰＵ１６が開始を指示するパネル操作がされてないと判断する場合（１４１：ＮＯ）、処理は１４１に戻る。
【００５９】
ＣＰＵ１６は、開始を指示するパネル操作がされたと判断した場合（Ｓ１４１：ＹＥＳ）、Ｓ４９でラベルデータテーブル５０に記憶された全ての印刷情報に基づくプリントイメージが表示部２０に表示される（Ｓ１４３）。プリントイメージが複数ある場合は、プリントイメージは表示部２０にリスト形式で表示される。ＣＰＵ１６は、特定のプリントイメージを選択するパネル操作がされたか否かを判断する（Ｓ１４５）。ＣＰＵ１６が特定のプリントイメージが選択されてないと判断した場合（Ｓ１４５：ＮＯ）、処理はＳ１４５に戻る。例えば、「Ｓａｌｔ」が印刷されるラベル５をユーザが貼替た場合、表示部２０に表示される「Ｓａｌｔ」のプリントイメージが選択されることとなる。
【００６０】
ＣＰＵ１６が特定のプリントメージが選択されたと判断した場合（Ｓ１４５：ＹＥＳ）、ラベルデータテーブル５０において選択された特定のプリントイメージに対応する印刷情報が取得される（Ｓ１４７）。ＣＰＵ１６は、取得した印刷情報に対応付けてＳ４９で記憶した貼付日時情報を取得する（Ｓ１４９）。さらに、ＣＰＵ１６はＳ４９で記憶した貼替日時情報を取得する（Ｓ１５１）。次いでＣＰＵ１６は貼替期間情報を取得する（Ｓ１５３）。例えば、「Ｓａｌｔ」の印刷情報が取得された場合（Ｓ１４７）、ラベルデータテーブル５０（図６参照）に記憶される貼付日時情報のうち「２０１１／９／２８」が取得され（Ｓ１４９）、貼替日時情報のうち「２０１２／９／２８」が取得され（Ｓ１５１）、さらに貼替期間情報のうち「１２ヶ月」が取得される（Ｓ１５３）。
【００６１】
次いで、ＣＰＵ１６はタイマ２５の出力によって現在日時を特定する（Ｓ１５５）。ＣＰＵ１６は、Ｓ１４９で取得した貼付日時情報に基づく貼付日時からＳ１５５で特定した現在日時までの期間を、現在日時に加算することで、新たな貼替日時を特定し、新たな貼替日時の情報である新たな貼替日時情報を取得する（Ｓ１５７）。次いで、ＣＰＵ１６は、Ｓ１５１で取得した貼替日時情報を、新たな貼替日時情報に更新する（Ｓ１５９）。例えば、現在日時が「２０１２／６／２８」と特定された場合（Ｓ１５５）、Ｓ１４９で取得された貼付日時「２０１１／９／２８」から現在日時「２０１２／６／２８」までの期間である９ヶ月を、現在日時に加算した「２０１３／３／２８」が新たな貼替日時情報として取得される（Ｓ１５７）。Ｓ１５１で取得された貼替日時情報「２０１１／９／２８」は、新たな貼替日時情報「２０１３／３／２８」に更新される（Ｓ１５９）。図１３に示すように、Ｓ４９で記憶されたラベルデータテーブル５０の貼替日時情報は更新される。
【００６２】
次いで、図１２に示すようにＣＰＵ１６は、Ｓ１４９で取得した貼付日時情報に基づく貼付日時から現在日時までの期間を新たな貼替期間とみなすことで、新たな貼替期間の情報である新たな貼替期間情報を取得する（Ｓ１６１）。ＣＰＵ１６はＳ１５３で取得された貼替期間情報を、新たな貼替期間情報に更新する（Ｓ１６３）。例えば、現在日時が「２０１２／６／２８」と特定された場合（Ｓ１５５）、Ｓ１４９で取得された貼付日時「２０１１/９／２８」から現在日時「２０１２／６／２８」までの期間である９ヶ月が新たな貼替期間情報として取得される（Ｓ１６１）。Ｓ１５３で取得された貼替期間情報「１２ヶ月」は、新たな貼替期間情報「９ヶ月」に更新される（Ｓ１６３）。図１３に示すように、Ｓ４９で記憶されたラベルデータテーブル５０の貼替期間情報は更新される。
【００６３】
次いで、図１２に示すようにＣＰＵ１６はＳ１５５で取得した現在日時を新たな貼付日時とみなすことで、新たな貼付日時の情報である新たな貼付日時情報を取得する（Ｓ１６５）。ＣＰＵ１６はＳ１４９で取得した貼付日時情報を、新たな貼付日時情報に更新する（Ｓ１６７）。例えば、現在日時が「２０１２／６／２８」と特定された場合（Ｓ１５５）、新たな貼付日時情報は「２０１２／６／２８」として取得される（Ｓ１６５）。Ｓ１４９で取得された貼付日時情報「２０１１／９／２８」は、新たな貼付日時情報「２０１２／６／２８」に更新される（Ｓ１６７）。
【００６４】
次いで、ＣＰＵ１６はＳ１４７で取得した印刷情報に対応付けて、Ｓ１５９で更新した貼替日時情報、Ｓ１６３で更新した貼替期間情報、及びＳ１６７で更新した貼付日時情報を、ラベルデータテーブル５０に記憶する（Ｓ１６９）。例えば、Ｓ１４７で取得された印刷情報「Ｓａｌｔ」に対応付けて、Ｓ１５９で更新された貼替日時情報「２０１３／３／２８」、Ｓ１６３で更新された貼替期間情報「９ヶ月」、及びＳ１６７で更新された貼付日時情報「２０１２／６／２８」が、ラベルデータテーブル５０に記憶される（Ｓ１６９）
【００６５】
例えば、２０１３年３月２８を迎えた場合には、貼替日時報知処理（図７参照）のＳ９１〜Ｓ９９が実行されることで、実使用に対応した貼替期間（９ヶ月）ごとの貼替日時の更新がなされる。これにより、ラベル５を一度貼替れば、貼替期間データテーブル４５（図３参照）で記憶されている貼替期間（１２ヶ月）ではなく、実使用における貼替期間（９ヶ月）が記憶される。
【００６６】
以上説明したように、プリンタ３が印刷したラベル５が物品６に貼付された後、ＣＰＵ１６は、ラベルデータテーブル５０に、ラベル５の印刷情報と、印刷情報に対応付けて、画像処理された画像情報、位置情報及び撮像方向情報を記憶する（図４のＳ４９及び図６）。そして、ＣＰＵ１６は、このラベル５の貼替日時が到達したと判断した場合には、ラベルデータテーブル５０に保存したこれらの情報に基づいて、表示部２０にラベル５のプリントイメージ、画像、撮像位置を表示する（図８のＳ１１７及びＳ１３３）。従って、ユーザは、貼替日時に到達したラベル５を、ラベル５の見栄えが悪くなる前に、容易に把握できる。また、ＣＰＵ１６は表示部２０に、位置情報に基づくが位置が表示される為（図１１）、ラベル５を貼付してから長時間経過した場合であっても、ユーザは、ラベル５を容易に探し出すことができる。
【００６７】
また、ＲＯＭ１７には、ユーザが選択するラベルの種類に応じた貼替期間が予め記憶されており、入力処理が行われる場合に、ＣＰＵ１６は、ユーザが選択したラベルの種類に応じて、適切な貼替日時情報を取得する（図４のＳ４１）。それ故、ユーザは、ラベル５の種類に応じた適切な貼替日時まで、物品６にラベル５を貼付できる。
【００６８】
また、ＣＰＵ１６は、カメラ２２が撮像した画像に含まれる物品６のうちラベル５の貼付面に相当する領域に、ラベル５のイメージ画像を配置し、画像処理する（図５のＳ５９）。このように画像処理された画像は、印刷情報が貼替日時に到達する場合に、表示部２０に表示される（図８のＳ１１７、図１０）。それ故、カメラ２２が撮像する画像に、複数の被写体が含まれる場合であっても、ユーザはラベル５が貼付された物品６を容易に特定できる。
【００６９】
また、貼替日時に到達したラベル５の貼替が行われた場合、ＣＰＵ１６は貼付日時から貼替を行った日時までの期間に、貼替を行った日時を加算し、新たな貼替日時を取得する（図１２のＳ１４７〜Ｓ１５７）。そして、ラベルデータテーブル５０に記録される貼替日時は更新され、再度記憶される（図１２のＳ１５９及びＳ１６９）。従って、例えば使用態様によってラベル５の貼替期間が変動する場合であっても、一度貼替えられたラベル５は、使用態様に基づいた新たな貼替期間が取得される。そして、ＣＰＵ１６は、新たな貼替期間に基づいて貼替日時報知処理を実行し、ユーザに報知する。それ故、ユーザは個々のラベル５を、各ラベル５の適切な時期まで、物品６に貼付できる。
【００７０】
ＣＰＵ１６は、貼替日時に到達する印刷情報が複数ある場合に、前記印刷情報の各々に基づくプリントイメージを、表示部２０にリスト形式に表示する（図９及び図８のＳ１１１）。さらに、特定のプリントイメージが選択されれば、画像処理された画像、撮像位置が表示される（図８のＳ１１３、Ｓ１１７及びＳ１３３）。それ故、貼替日時に到達しているラベルが複数ある場合であっても、ユーザはそれらのラベルを容易に把握できる。
【００７１】
カメラ２２によって撮像される場合に、ＣＰＵ１６は、撮像方向情報もラベルデータテーブル５０に記憶し（図４のＳ４９）、ラベル５が貼替日時に達したと判断した場合には、表示部２０に、位置情報と共に撮像方向も表示する（図１１及び図８のＳ１３３）。それ故、ユーザは、表示部２０に表示される位置及び撮像方向を基に、物品６に貼付したラベル５をより容易に探し出すことができる。
【００７２】
本発明は、上記実施形態に限定されるものではなく、発明の要旨を変更しない範囲での変更が可能である。上記実施形態では、プリンタ３に無線通信を介して携帯端末２が接続されるが、携帯端末２でなくとも、例えばモバイル式のパーソナルコンピュータ（以下、ＰＣという）等の情報端末装置であってもよい。この場合、ＰＣが、プリンタ３とネットワークを介して接続され、貼替日時に到達したラベル５のプリントイメージ等を表示する。
【００７３】
上記実施形態では、入力処理において、タッチパネル２１を介して入力されたプリントイメージに基づいて印刷情報が取得されるが（Ｓ１９）、これに限られない。例えば、プリンタ３の入力部３６に直接入力されたプリントイメージの印刷情報を、携帯端末２のＣＰＵ１６が受信することで、印刷情報を取得してもよい。
【００７４】
上記実施形態では、入力処理において、印刷情報、画像情報、及び貼替日時情報の順にこれらの情報は取得されるが（図４のＳ１９、Ｓ２９、Ｓ４１）、これらの情報の取得の順番は適宜変更が可能である。例えば、貼替日時情報、画像情報、印刷情報の順にこれらの情報を取得してもよい。
【００７５】
上記実施形態では、表示処理において、貼替日時に到達した印刷情報が複数ある場合に、印刷情報は表示部２０にリスト形式に表示されるが（図９及び図８のＳ１１１）、複数の印刷情報はサムネイル形式で表示されてもよい。
【００７６】
上記実施形態では、ラベル５を貼付する前に物品６を含む画像５０９が、カメラ２２によって撮像されるが（図４のＳ２３〜Ｓ２７）、ラベル５が貼付された物品６を撮像してもよい。この場合、入力処理において、画像処理を開始しない指示の入力をパネル操作すれば（Ｓ４５：ＮＯ）、カメラ２２が撮像した画像が表示される（図８のＳ１１７）。
【００７７】
上記実施形態において、携帯端末２が本発明の「情報表示制御装置」に相当する。プリンタ３が本発明の「印刷装置」に相当する。ラベル５が本発明の「印刷媒体」に相当する。物品６が本発明の「対象物」に相当する。ＣＰＵ１６が本発明の「コントローラ」に相当する。フラッシュメモリ１９が本発明の「第一記憶手段」及び「第二記憶手段」に相当する。表示部２０が本発明の「表示手段」に相当する。カメラ２２が本発明の「撮像手段」に相当する。タッチパネル２１が本発明の「選択手段」に相当する。
【００７８】
Ｓ１９を実行するＣＰＵ１６が本発明の「印刷情報取得手段」に相当する。Ｓ２９を実行するＣＰＵ１６が本発明の「画像取得手段」に相当する。Ｓ３１を実行するＣＰＵ１６が本発明の「位置取得手段」に相当する。Ｓ３３を実行するＣＰＵ１６が本発明の「方向取得手段」に相当する。Ｓ４１及びＳ１５７を実行するＣＰＵ１６が本発明の「貼替時期取得手段」に相当する。Ｓ４９及びＳ１６９を実行するＣＰＵ１６が本発明の「記憶制御手段」に相当する。Ｓ７１〜Ｓ７７を実行するＣＰＵ１６が本発明の「第一判断手段」に相当する。Ｓ８３を実行するＣＰＵ１６が本発明の「表示制御手段」に相当する。Ｓ４７を実行するＣＰＵ１６が本発明の「画像処理手段」に相当する。Ｓ３５を実行するＣＰＵ１６が本発明の「貼付時期取得手段」に相当する。Ｓ１４５を実行するＣＰＵ１６が本発明の「第二判断手段」に相当する。
【００７９】
Ｓ１９が本発明の「印刷情報取得ステップ」に相当する。Ｓ２９が本発明の「画像取得ステップ」に相当する。Ｓ３１が本発明の「位置取得ステップ」に相当する。Ｓ３３が本発明の「方向取得ステップ」に相当する。Ｓ４１が本発明の「貼替時期取得ステップ」に相当する。Ｓ４９が本発明の「記憶制御ステップ」に相当する。Ｓ７１〜Ｓ７７が本発明の「判断ステップ」に相当する。Ｓ８３が本発明の「表示制御ステップ」に相当する。
【符号の説明】
【００８０】
２      携帯端末
３      プリンタ
５      ラベル
６      物品
１６    ＣＰＵ
１９    ＨＤＤ
２０    表示部
２１    タッチパネル
２２    カメラ
２４    電子コンパス
【図１】
2014071759.tif 000003
【図２】
2014071759.tif 000004
【図３】
2014071759.tif 000005
【図４】
2014071759.tif 000006
【図５】
2014071759.tif 000007
【図６】
2014071759.tif 000008
【図７】
2014071759.tif 000009
【図８】
2014071759.tif 000010
【図９】
2014071759.tif 000011
【図１０】
2014071759.tif 000012
【図１１】
2014071759.tif 000013
【図１２】
2014071759.tif 000014
【図１３】
2014071759.tif 000015
【手続補正書】
【提出日】平成24年11月9日(2012.11.9)
【手続補正１】
【補正対象書類名】図面
【補正対象項目名】図７
【補正方法】変更
【補正の内容】
【図７】
2014071759.tif 000016